(57)【要約】【課題】  リールを巻く速度に関わらず水中での駆動性を確保し、操作性に優れた擬似餌を提供する。【解決手段】  擬似餌本体１１の尾部２１側にリップ１２が設けられた擬似餌（ルアー１０）であって、リップ１２は、全体略薄型板状に形成され、擬似餌本体１１の長さ方向に沿って擬似餌本体１１の腹部２２側に回動可能に設けられ、空中においては擬似餌本体１１の腹部２２に沿って配置されると共に、水中においては擬似餌本体１１の前後方向に対して所定角度に配置固定されることを特徴とする擬似餌（ルアー１０）である。【選択図】  図１
0003186594.tif 000002
【実用新案登録請求の範囲】
【請求項１】
擬似餌本体の尾部側にリップが設けられた擬似餌であって、前記リップは、全体略薄型板状に形成され、前記擬似餌本体の長さ方向に沿って前記擬似餌本体の腹部側に回動可能に設けられ、空中においては前記擬似餌本体の腹部に沿って配置されると共に、水中においては前記擬似餌本体の前後方向に対して所定角度に配置固定されることを特徴とする擬似餌。
【請求項２】
前記擬似餌本体の尾部端部には凸部が設けられ、水中に投入された場合には、前記リップは前記凸部に当接することにより、所定角度で固定されて使用状態となることを特徴とする請求項１に記載の擬似餌。
【請求項３】
前記所定角度は、前記擬似餌本体の軸方向に対して４５°であることを特徴とする請求項２に記載の擬似餌。
【請求項４】
前記リップは、頭部方向に向かう水流当接面部と、前記水流当接面部の背面側に設けられた膨出面部とを有することを特徴とする請求項１又は２の何れか１項に記載の擬似餌。
【請求項５】
前記リップは、平面略円盤状に形成されていることを特徴とする請求項１又は２の何れか１項に記載の擬似餌。
【請求項６】
前記リップの水流当接面部には、厚さ方向に沿って、前記リップが回動され前記腹部に当接した場合には、前記腹部の下端部の一部を収納しうる凹部が設けられていることを特徴とする請求項５記載の擬似餌。
【請求項７】
前記リップは、硬質素材からなることを特徴とする請求項１又は２の何れか１項に記載の擬似餌。
【請求項８】
前記リップは、軟質素材からなることを特徴とする請求項１又は２の何れか１項に記載の擬似餌。
【請求項９】
前記リップは、蓄光性蛍光体からなる塗料を用いて着色されていることを特徴とする請求項１又は２の何れか１項に記載の擬似餌。
【請求項１０】
前記リップは、透明素材からなることを特徴とする請求項１又は２の何れか１項に記載の擬似餌。
【考案の詳細な説明】
【技術分野】
【０００１】
本考案は、魚釣りに際して用いられる擬似餌に関する。
【背景技術】
【０００２】
従来から、魚釣りに用いられる擬似餌として様々な形態のものが知られており、その用途に応じて、形状、重量、色、泳ぎ方等の固有の特性を有し、状況に応じて、その特性を変えることができるものも存在する。
【０００３】
例えば、魚を模した外観形状となるように形成された擬餌餌本体の頭部側に可動可能に配設されたリップ（抵抗板）を備えた釣り用ルアーが知られている（例えば、特許文献１及び２参照）。
【０００４】
特許文献１及び２に記載の釣り用ルアーには、擬餌餌本体の頭部側に、擬餌餌本体の長さ方向に沿う位置と、腹部側に所定角度で突出する位置との間で回動可能にリップが設けられている。
【０００５】
従って、水中投入後に水流抵抗によりリップが回動して開き、腹部側において所定角度位置に至った場合には、リールにより引かれる頭部側において水流の抵抗を受けることから、頭部側において前方からの水流抵抗が作用し、頭部側から擬餌餌本体を沈下させる方向に力が働くため、低速でリールを巻いた場合に、擬餌餌本体の動きが鈍く、釣り用ルアーの重量やサイズ等によっては沈下してしまい、釣果が得られにくい場合があるという不具合があった。
【特許文献１】実用新案登録第３１６５３９１号公報
【特許文献２】実用新案登録第３１７１３０６号公報
【考案の開示】
【考案が解決しようとする課題】
【０００６】
本考案は、上記従来技術の有する問題点に鑑みなされたものであり、その目的とするところは、水中に投下後、リールを巻く速度に関わらず水中での駆動性を確保し、操作性に優れた擬似餌を提供することにある。
【課題を解決するための手段】
【０００７】
本考案の上記課題は、下記の手段によって達成される。
【０００８】
請求項１に記載の考案に係る擬似餌は、擬似餌本体の尾部側にリップが設けられた擬似餌であって、前記リップは、全体略薄型板状に形成され、前記擬似餌本体の長さ方向に沿って前記擬似餌本体の腹部側に回動可能に設けられ、空中においては前記擬似餌本体の腹部に沿って配置されると共に、水中においては前記擬似餌本体の前後方向に対して所定角度に配置固定されることを特徴とする。
【０００９】
従って、本考案に係る擬似餌は、擬似餌本体の尾部側にリップが設けられた擬似餌であって、前記リップは、全体略薄型板状に形成され、前記擬似餌本体の長さ方向に沿って前記擬似餌本体の腹部側に回動可能に設けられ、空中においては前記擬似餌本体の腹部に沿って配置されると共に、水中においては前記擬似餌本体の前後方向に対して所定角度に配置固定されることにより、キャスティングにより水中に投入する場合には、前記リップを前記擬似餌本体の腹部に当接させた状態で空中での空気抵抗を受けないようにして、空中での姿勢を安定させることができる。
【００１０】
また、水中投入後には水流抵抗により前記リップが回動して開き、擬似餌本体の腹部側において所定角度位置に配置された場合には、リーリング時の水流抵抗が前記擬似餌本体の尾部の腹部側に発生することから、前記擬似餌本体の尾部の腹部側において、前記擬似餌本体を上方に押し上げる力として作用するため、水中において沈下しにくくなる。
【００１１】
請求項２に記載の考案に係る擬似餌は、前記擬似餌本体の尾部端部には凸部が設けられ、水中に投入された場合には、前記リップは前記凸部に当接することにより、所定角度で固定されて使用状態となることを特徴とする。
【００１２】
従って、本考案に係る擬似餌にあっては、前記擬似餌本体の尾部端部には凸部が設けられ、水中に投入された場合には、前記リップは前記凸部に当接することにより、所定角度で固定されて使用状態となることにより、水流抵抗を受けることができる。
【００１３】
請求項３に記載の考案にあっては、前記所定角度は、前記擬似餌本体の軸方向に対して４５°であることを特徴とする。
【００１４】
従って、前記所定角度は、前記擬似餌本体の軸方向に対して４５°であることにより、水流抵抗を効率的に受けることができる。
【００１５】
請求項４に記載の考案に係る擬似餌は、前記リップは、頭部方向に向かう平面からなる水流当接面部と、前記水流当接面部の背面側に設けられた膨出面部とを有することを特徴とする。
【００１６】
従って、前記リップが頭部方向に向かう平面からなる水流当接面部と、前記水流当接面部の背面側に設けられた膨出面部とを有することにより、上記と同様にして水流抵抗を受けることができると共に、キャスティング時には、前記リップは前記擬似餌本体の腹部に沿って配置され、前記膨出面部が外方となるように配置されることから、キャスティングされた場合の空中時における空気抵抗を最小限に抑えることができる。
【００１７】
請求項５に記載の考案に係る擬似餌は、前記リップは、平面略円盤状に形成されていることを特徴とする。
【００１８】
従って、前記リップが平面略円盤状に形成されていることにより、キャスティングされた場合の空中時における空気抵抗を最小限に抑えることができる。
【００１９】
請求項６記載の考案にあっては、前記リップの水流当接面部には、厚さ方向に沿って、前記リップが回動され前記腹部に当接した場合には、前記腹部の下端部の一部を収納しうる凹部が設けられていることを特徴とする。
【００２０】
従って、請求項６記載の考案にあっては、キャスティングの際に、前記リップが回動されて腹部に当接した状態の場合には、腹部の下端部を一部収納した状態となり、前記リップは腹部に密着する。
【００２１】
また、水中にあっては、水流当接面部には前記凹部が設けられていることから、単なる平面により水流当接面部が形成されている場合よりも、より水流抵抗を受けやすい。
【００２２】
請求項７に記載の考案に係る擬似餌は、前記リップは、硬質素材からなることを特徴とする。
【００２３】
従って、本考案に係る擬似餌は、前記リップが硬質素材からなることにより、前記リップの強度を高めることができる。
【００２４】
請求項８に記載の考案に係る擬似餌は、前記リップは、軟質素材からなることを特徴とする。
【００２５】
従って、本考案に係る擬似餌は、前記リップが軟質素材からなることにより、前記リップに対する衝撃を緩和することができる。
【００２６】
請求項９に記載の考案に係る擬似餌は、前記リップは、蓄光性蛍光体からなる塗料を用いて着色されていることを特徴とする。
【００２７】
従って、本考案に係る擬似餌は、前記リップに蓄光性蛍光体からなる塗料を用いて着色されていることにより、水中に投入された場合には、蓄光性物質の発光による燐光を発する。
【００２８】
請求項１０に記載の考案に係る擬似餌は、前記リップは、透明素材からなることを特徴とする。
【００２９】
従って、本考案に係る擬似餌は、前記リップが透明素材からなることにより、前リップの存在をターゲットに感知又は視認させにくくすることができる。
【考案の効果】
【００３０】
請求項１に記載の考案にあっては、擬似餌本体の尾部側にリップが設けられた擬似餌であって、前記リップは、全体略薄型板状に形成され、前記擬似餌本体の長さ方向に沿って前記擬似餌本体の腹部側に回動可能に設けられ、空中においては前記擬似餌本体の腹部に沿って配置されると共に、水中においては前記擬似餌本体の前後方向に対して所定角度に配置固定されることにより、キャスティングにより水中に投入する場合には、前記リップを前記擬似餌本体の腹部側に倒した状態で空中での空気抵抗を最小限に抑えて空中での姿勢を安定させることができるので、ユーザーが狙った所定位置に投下することができる。
【００３１】
また、水中投入後に、水流抵抗により前記リップが開き、所定角度位置に配置された場合には、水流抵抗が前記擬似餌本体の尾部の腹部側に発生することから、リーリング時には、前記擬似餌本体の尾部側において、前記擬似餌本体を上方に押し上げる力として作用するため、水中において沈下しにくくなり、例えば、リールを低速で巻いて前記擬似餌を操作する場合であっても、水底に沈むことなく水中での駆動性を確保することができる。
【００３２】
請求項２に記載の考案にあっては、前記擬似餌本体の尾部端部には凸部が設けられ、水中に投入された場合には、前記リップは前記凸部に当接することにより、所定角度で固定されて使用状態となることにより、水流抵抗を受けることができるので、前記擬似餌に対して振動を発生させることができる。
【００３３】
その結果、前記リップの後方に大きな乱流が発生し、乱流を追尾するターゲットを増やすことができるため、釣果の増大に寄与することができる。
【００３４】
請求項３に記載の考案にあっては、前記所定角度は、前記擬似餌本体の軸方向に対して４５°であるとから、水流抵抗を効率的に受けることができるので、上記と同様に振動を発生させることができ、その結果、前記リップの後方に発生する乱流が大きくなり、高い集魚効果により釣果を上げることができる。
【００３５】
請求項４に記載の考案にあっては、前記リップが頭部方向に向かう水流当接面部と、前記水流当接面部の背面側に設けられた膨出面部とを有することにより、上記と同様にして水流抵抗を受けることができると共に、キャスティング時には、前記リップは前記擬似餌本体の腹部に沿って配置され、前記膨出面部が外方となるように配置されることから、キャスティングされた場合の空中時における空気抵抗を最小限に抑えることができるので、前記擬似餌をより遠くに投下させることができ、かつユーザーが狙った位置に投下することが可能となる。
【００３６】
その結果、前記使いやすい擬似餌を提供することができると共に、外観品質に優れた擬似餌を顧客に提供することができる。
【００３７】
請求項５に記載の考案にあっては、前記リップが平面略円盤状に形成されていることにより、キャスティングされた場合の空中時における空気抵抗を最小限に抑えることができるので、前記擬似餌の姿勢を安定させて所定位置に投下することができる。
【００３８】
請求項６記載の考案にあっては、前記リップの水流当接面部には、厚さ方向に沿って、前記リップが回動され前記腹部に当接した場合には、前記腹部の下端部の一部を収納しうる凹部が設けられていることから、キャスティングの際に、前記リップが回動されて腹部に当接した状態の場合には、腹部の下端部を一部収納した状態となり、前記リップは腹部に密着した状態となる。
【００３９】
その結果、擬似餌がキャスティングされて空中を飛翔している際には、空気抵抗を最小限に低減することが可能となる。
【００４０】
また、水中に投下された場合で、水流抵抗により前記リップが回動して腹部に対して所定角度に配置された場合には、前記水流当接面部には前記凹部が設けられていることから、単なる平面により水流当接面部が形成されている場合よりも、より水流抵抗を受けやすく、水中でリーリングした場合の水流抵抗の作用効率が高い。
【００４１】
その結果、低速でのリーリングであっても有効に尾部を中心とした振動が発生し、集魚効果を高めることができ、低速以上のリーリングの場合には、微細な振動が発生し、さらに集魚効果を高めることができる。
【００４２】
請求項７に記載の考案にあっては、前記リップが硬質素材からなることにより、前記リップの強度を高めることができるので、水流抵抗を受けても劣化することなく、また、ターゲットや障害物等と衝突しても前記リップの破損を最小限に抑えることができる。
【００４３】
請求項８に記載の考案にあっては、前記リップが軟質素材からなることにより、前記リップに対する衝撃を緩和することができるので、水中に投入された場合には、水流抵抗を受けても劣化することなく、また、ターゲットや障害物等と衝突しても衝撃を緩和して前記リップの破損を最小限に抑えることができる。
【００４４】
請求項９に記載の考案にあっては、前記リップに蓄光性蛍光体からなる塗料を用いて着色されていることにより、水中に投入された場合には、蓄光性物質の発光による燐光を発するので、燐光によりターゲットが生物であると誤認することによる集魚効果により、大幅に釣果を上げることができる。
【００４５】
請求項１０に記載の考案にあっては、前記リップが透明素材からなることにより、前リップの存在をターゲットに感知又は視認させにくくすることができるので、前記リップの存在感を低下させることにより、例えば、前記擬似餌本体等の着色部分や上述した蓄光性物質による燐光等のリップ以外の要素を、ターゲットに対してアピールしやすくなると共に、前記擬似餌のボリューム感を抑えたように錯覚させることができる。
【図面の簡単な説明】
【００４６】
【図１】本考案に係る擬似餌の一実施の形態を示し、本考案に係る擬似餌をルアーに適用した場合において、リップが回動して腹部に開いた状態を示す斜視図である。
【図２】本考案に係る擬似餌の一実施の形態を示し、本考案に係る擬似餌をルアーに適用した場合において、リップが回動して腹部に密着した状態で配置されている状態を示す斜視図である。
【図３】本考案に係る擬似餌の一実施の形態を示し、本考案に係る擬似餌をルアーに適用した場合において、リップが開いた状態で背面側から見た図である。
【図４】本考案に係る擬似餌の一実施の形態を示し、本考案に係る擬似餌をルアーに適用した場合において、リップが開いた状態で斜め前方側から見た図である。
【図５】本考案に係る擬似餌の他の実施の形態を示し、本考案に係る擬似餌をルアーに適用した場合において、リップが回動して腹部に密着した状態で配置されている状態を示す斜視図である。
【図６】本考案に係る擬似餌の他の実施の形態を示し、本考案に係る擬似餌をルアーに適用した場合において、リップが回動して腹部に開いた状態を示す斜視図である。
【考案を実施するための最良の形態】
【００４７】
以下、本考案に係る擬似餌に使用されるルアーを実施の形態に基づき、図面を参照して詳細に説明する。なお、本考案の擬似餌は、以下の実施形態（ルアー）に限定されるものではなく、本考案の要旨を逸脱しない範囲内において種々変更を加え得ることは可能である。
【００４８】
まず、本考案に係る擬似餌の実施の形態について説明する。
【００４９】
図１〜図４に示すように、本実施形態に係るルアー１０は、擬似餌本体１１の尾部２１側であって腹部２２側にはリップ１２が回動可能に設けられている。擬似餌本体１１は、木や合成樹脂等の素材からなり、全体として魚を模した形状に形成されている。
【００５０】
擬似餌本体１１の頭部２３には釣糸を結びつけるための糸環１４が、尾部２１には釣針を接続するための釣針接続環２５が、夫々設けられている。
【００５１】
図１及び図２に示すように、リップ１２は、全体略薄型板状に形成され、擬似餌本体１１の長さ方向に沿って擬似餌本体１１の腹部２２側に回動可能に設けられ、空中においては擬似餌本体１１の腹部２２に当接して配置されると共に、水中においては尾部２１の腹部２２側において擬似餌本体１１の軸方向に対して所定角度に配置固定されるように構成されている。
【００５２】
図１〜図４に示すように、リップ１２は、薄型の全体略円盤状に形成され、厚さ方向においては、頭部方向に向かう水流当接面部１６と、水流当接面部１６の背面側に設けられた膨出面部１７とを有している。
【００５３】
図３に示すように、リップ１２は、擬似餌本体１１の尾部２１側に幅方向に沿って設けられた貫通孔（図示せず）にリップ１２の上端部を貫通して固定された金属製の軸部１５が回動可能に挿入され、リップ１２は擬似餌本体１１の長さ方向に沿って回動しうるように設けられている。
【００５４】
リップ１２は、リップ本体部１９と、凹部１８により一対に形成された固定部２０、２０からなる。軸部１５は、固定部２０、２０を凹部１８を介して配置され、尾部２１内を貫通して回転可能に固定されている。
【００５５】
図４に示すように、水流当接面部１６は、リップ本体部１９及び固定部２０、２０の双方にかけて形成されている。リップ１２の水流当接面部１６には、厚さ方向に沿って、リップ１２が回動して腹部２２に当接した場合に腹部２２の下端部の一部を収納しうる凹条溝部２４が設けられている。
【００５６】
即ち、水流当接面部１６の略中央部分には、リップ本体部１９の中央部において、凹部１８からリップ本体部１９の先端部にかけて、凹状溝部２４が平面略半楕円体状に形成されている。
【００５７】
また、リップ１２は、図２に示すように、キャスティング時には、凹状溝部２４が腹部２２の下端部の一部を収納した状態で腹部２２に密着すると共に、水中に投下されて、リーリングされた場合には、図１に示すように、水流圧により自動的に開き、尾部２１側へ回動して、尾部２１に設けられた釣針接続環２５に当接することにより、擬似餌本体１１の軸方向に対して上下方向に直交する仮想線Ａに対する角度αが４５°となる状態に配置されるように構成されている。
【００５８】
リップ１２の素材は、例えば、金属、ポリカーボネート、アクリロニトリル(Ａｃｒｙｌｏｎｉｔｒｉｌｅ)・ブタジエン(Ｂｕｔａｄｉｅｎｅ)・スチレン(Ｓｔｙｒｅｎｅ)共重合合成樹脂（ＡＢＳ）、アクリロニトリル(Ａｃｒｙｌｏｎｉｔｒｉｌｅ)・スチレン(Ｓｔｙｒｅｎｅ)共重合合成樹脂（ＡＳ）等の硬質素材や、ポリプロピレン、エラストマー、ＰＭＭＡ（ポリメタクリル酸メチル樹脂）、ナイロン等の軟質素材、或いは、ポリカーボネート、ＡＢＳ、ＡＳ等の透明素材を適用することができる。
【００５９】
この場合、ＡＢＳ、ポリカーボネート、ポリプロピレン等の硬度が大きい素材により形成された場合には、耐久性に富むリップを備えた擬似餌を提供することができる。
【００６０】
また、エラストマー、ＰＭＭＡ（ポリメタクリル酸メチル樹脂）、軟質アクリル樹脂を素材とする場合には、柔軟性に富み水流抵抗を受けることができ、かつ衝撃にも強いリップを備えた擬似餌を提供することができる。
【００６１】
また、硫化亜鉛（ＺｎＳ系）、アルミン酸ストロンチウム（ＳｒＡｌ2Ｏ4系）等の畜光性蛍光体を含む塗料を表面に塗布してもよく、リップ１２にポリカーボネート、ＡＢＳ、ＡＳ等の透明素材を採用してもよい。
【００６２】
さらに、上述したポリカーボネート、ＡＢＳ、ＡＳ等の素材を擬似餌の用途や顧客の要望等に応じて、適宜着色して利用することができる。本考案で適用可能な塗布以外の着色方法としては、素材に応じて適宜変更することができ、例えば、練り込みや原着等の方法が挙げられる。
【００６３】
また、イカの捕食魚やエビ等のエキス、雌イカのホルモン物質等の魚を誘い込むための誘引物質等を含ませてもよい。
【００６４】
次に、本考案に係る擬似餌を適用したルアー１０の使用方法について説明する。
【００６５】
本実施の形態に係るルアー１０は、図２に示すように、リップ１２を擬似餌本体１１の腹部２２の下端部に当接するように倒した状態でルアー１０をキャスティングしてポイント近くに投げ入れる。
【００６６】
この場合、上記のようにリップ１２は、擬似餌本体１１の腹部２２の下端部を凹状溝部２４内に収納するようにして腹部２２に密着した状態となると共に、膨出面部１７が外方に配置されることから、空中における空気抵抗を低減することができ、より遠方に安定して飛ばすことができる。
【００６７】
ルアー１０が水中に落下した場合には、水流抵抗によりリップ１２が開き、尾部２１方向に向かって回動して釣針接続環２５に当接して停止する。その後、糸環１４に接合された釣り糸２６によりリーリングされて頭部２３方向に引っ張られた場合には、尾部２１方向へ作用する水流抵抗によりリップ１２は釣針接続環２５に対して圧接されて固定される。
【００６８】
この場合、本実施の形態にあっては、上記のように、尾部２１の腹部２２側において擬似餌本体１１の軸方向に対して直交する仮想線Ａに対し４５度の角度に配置固定されるように構成されている。
【００６９】
従って、リップ１２が、尾部２１の腹部２２側において擬似餌本体１１の軸方向に対して４５度の角度に配置固定されるように構成されていることから、前方からの水流抵抗を効率よく受けることができる。
【００７０】
この状態でリーリングされることにより、水流がリップ１２の水流当接面部１６及び、水流当接面部１６に形成された凹状溝部２４に当接することにより、ルアー１０は、擬似餌本体１１の頭部２３と尾部２１との間の軸方向に対して、水平方向において直交する方向へのベクトルが左右交代で順次働き、その結果、尾部２１において左右方向の細かな振動が発生する。
【００７１】
その結果、本実施の形態に係るルアー１０にあっては、尾部２１の細かな振動により尾部２１の後方に大きな乱流が発生し、様々な魚はそのような乱流により刺激され、餌であると誤認してルアー１０に対するアタックを開始するものであり、集魚効果を挙げることができる。
【００７２】
また、上述した実施形態に係る擬似餌においては、リップが擬似餌本体の尾部側に設けられた構成を例に挙げて説明したが、利用者の要望や擬似餌の種類等に合わせて、擬似餌本体の腹部側であれば、リップの固定位置や設置数を適宜変更することが可能である。
【００７３】
また、上述した実施形態に係る擬似餌においては、平面略円盤状に形成されたリップを例に挙げて説明したが、リップの形状を、例えば、平面方形状等に適宜変更することが可能である。
【００７４】
また、本実施形態にかかる擬似餌においては、擬似餌本体１１の軸方向に対して上下方向に直交する仮想線Ａに対する角度αが４５°となる状態に配置されるように構成されている場合を例に挙げて説明したが、角度αは４５°に限定されない。
【００７５】
さらに、本実施の形態にあっては、尾部２１に釣針接続環２５が設けられ、リップ１２が回動して釣針接続環２５に当接して水流抵抗により固定配置される場合を例に説明したが、本実施の形態に限定されず、例えば、尾部２１に凸状部を設け、当該凸状部にリップ１２が当接して固定されるように構成してもよい。
【００７６】
また、上述した実施形態に係る擬似餌においては、釣針接続環が擬似餌本体の尾部側に設けられた構成を例に挙げて説明したが、利用者の要望や擬似餌の種類等に合わせて、釣針接続環の固定位置や設置数を適宜変更することが可能である。
【００７７】
また、本実施の形態にあっては、例えば、釣針接続環２５を腹部２２側に設けてもよい。また、釣針接続環には、疑似餌の用途に応じて種々の釣針を接続することが可能であり、例えば、３本イカリ針等の釣針を適用することができる。
【００７８】
また、例えば、本考案に係る疑似餌をエギ１３に適用した場合、図５及び図６に示すように、エギ本体２７の腹部２８側の尾部２９側に設けられたリップ３０の膨出面部３１の略中央部に凸条係止部３２を突設してもよい。
【００７９】
上述したエギ１３が水中に落下した場合には、図６に示すように、水流抵抗によりリップ３０が開き、尾部２９方向に向かって回動してリップ３０の凸条係止部３２が尾部２９の端縁部３３に当接した状態で配置される。
【００８０】
その後、糸環３４に接合された釣り糸３５によりリーリングされてエギ本体２７の頭部３６方向に引っ張られた場合には、尾部２９方向へ作用する水流抵抗により、リップ３０は端縁部３３に対して圧接されて固定される。
【００８１】
なお、上述のリップの膨出面部に凸条係止部が設けられた構成は、利用者の要望や擬似餌の種類等に合わせて、エギ以外の疑似餌に適用されてもよい。
【００８２】
また、本実施の形態にあっては、利用者の要望や擬似餌の種類等に合わせて、疑似餌の腹部の頭部側等に錘部が設けられてもよく、錘部の固定位置や設置数を適宜変更することが可能である。
【産業上の利用可能性】
【００８３】
本考案に係る擬似餌は、水中に投入する場合に、空気抵抗を最小限に抑えて所定位置に投下することができると共に、水中では、前記擬似餌に対して振動を発生させることができ、これにより、前記リップの後方に大きな乱流を発生し、かかる乱流に追尾するターゲットを増やす集魚効果により、大幅に釣果を上げることができることができ、その結果、ルアー、擬餌針、プラグ、エギ等として極めて有用であることから、産業上の利用可能性を有している。
【符号の説明】
【００８４】
１０・・・ルアー
１１・・・擬似餌本体
１２・・・リップ
１３・・・エギ
１４・・・糸環
１５・・・軸部
１６・・・水流当接面部
１７・・・膨出面部
１８・・・凹部
１９・・・リップ本体部
２０・・・固定部
２１・・・尾部
２２・・・腹部
２３・・・頭部
２４・・・凹条溝部
２５・・・釣針接続環
２６・・・釣り糸
２７・・・エギ本体
２８・・・腹部
２９・・・尾部
３０・・・リップ
３１・・・膨出面部
３２・・・凸条係止部
３３・・・端縁部
３４・・・糸環
３５・・・釣り糸
３６・・・頭部
α・・・ 角度
Ａ・・・ 仮想線
【図１】
0003186594.tif 000003
【図２】
0003186594.tif 000004
【図３】
0003186594.tif 000005
【図４】
0003186594.tif 000006
【図５】
0003186594.tif 000007
【図６】
0003186594.tif 000008